(57)【要約】【課題】部品やユニットを交換することなく、発射装置へ球を供給するタイミングを容易に調節できるようにする。【解決手段】発射位置に面した遊技球の供給口に近接する樋部内に、発射レールに平行な回動軸２２に軸支されている供給制御部材２０と、該供給制御部材２０に回動軸２２に平行に取付けられている従動部材２８と、これに遊技球の発射動作に同期して上下動する先端部を当接し、供給制御部材２０を回動軸２２を中心に揺動させ、樋部に導入された遊技球を１個ずつ供給口から発射位置に供給する連動部材を備えている遊技機の球供給装置であって、前記従動部材２８に、前記連動部材の先端部が当接する当接面３０が、先端方向に向って径が小さくなる円錐形状に形成され、且つ、該従動部材が、回動軸２２に平行に進退動自在に前記供給制御部材に取付けられている。【選択図】図３
2006198183.tif 000002
【特許請求の範囲】
【請求項１】
球受け皿に形成された遊技球の流出口と、遊技球を打球槌で打撃して発射させる発射レール上の発射位置との間に配設され、該発射位置に面した遊技球の供給口を有する樋部と、
該樋部内において、回動軸に軸支されている供給制御部材と、
該供給制御部材に前記回動軸と平行に突出した状態に取付けられている従動部材と、
遊技球の発射動作に同期して上下動する先端部を有し、該従動部材と当接して前記供給制御部材を前記回動軸を中心に揺動させ、樋部に導入された遊技球を１個ずつ前記供給口から発射位置に供給する連動部材とを備えている遊技機の球供給装置であって、
前記連動部材の先端部が当接する従動部材の当接面は、先端方向に向って径が小さくなる円錐形状に形成され、且つ、
該従動部材は、前記回動軸に沿って移動調節可能に取付けられていることを特徴とする遊技機の球供給装置。
【発明の詳細な説明】
【技術分野】
【０００１】
本発明は、遊技機において遊技球を発射位置に供給する球供給装置に関する。
【背景技術】
【０００２】
一般に、遊技機は、図１０にその外観を示すように、球受け皿９１から図中右下に位置する発射レール９２上の発射位置に供給される遊技球を発射装置で打ち出すことにより、該球を遊技盤９３に形成されている遊技領域９４に発射させると共に、その際の発射速度を操作ハンドル９５で調節するようになっている。
【０００３】
前記発射位置は、通常、発射レール９２の最後端部に設けられ、該発射位置に前記球受け皿から遊技球を供給装置により繰り返し供給すると共に、該遊技球を前記発射装置の打球槌９６で打撃することにより、連続的に前記遊技領域９４へ発射させることが可能になっている。
【０００４】
発射位置へ遊技球を供給する装置としては、例えば特許文献１には、図１１に示すものが開示されている。この球供給装置は、透明なガラス板が装着されている前板１０８の前側（遊技者側）に取付けられている球受け皿９１から、遊技機の内部に遊技球が導入される流出口１１１と、前記発射位置（発射レール）９２との間に配設された、箱型の樋部１１３と、その内部下方に設置され、発射位置に面した供給口１１５に遊技球を供給する供給制御部材１１９とを有している。
【０００５】
この供給制御部材１１９は、遊技盤面に平行、即ち発射レール９２（図１０参照）と平行になる横軸１１８により回動可能に軸支されていると共に、上端の球止め部１２１と、発射レール９２側に形成された凹状の円弧面からなる球受け部１２０とを有し、横軸１１８より発射レール側に固定されている係合ピン１２２の上下動に伴って回動（揺動）可能になっている。
【０００６】
従って、図示されている状態では、供給口１１５が広く開放されているが、流出口１１１から導入された遊技球（図示せず）は球止め部１２１で停止され、保持されている。その後、打球槌９６の打撃動作（発射動作）に連動する係合部１２５により係合ピン１２２が持ち上げられると、供給制御部材１１９は供給口１１５と反対側（前側）に回動される。そのとき、球止め部１２１に保持されていた遊技球は、保持状態が解除されるために球受け部１２０上に落下するが、上記回動動作により供給口１１５と球受け部１２０の先端側との間が狭くなっているため、該球受け部上に停止される。
【０００７】
その後、打球槌９６の打撃動作が終了し、それに連動して係合部１２５が下降し、係合ピン１２２が下がると、供給制御部材１１９は図示されている状態に戻るため、球受け部１２０上に停止されていた遊技球は、広くなった供給口１１５から発射レール上に落下し、供給される。それと同時に、球止め部１２１には次の遊技球が保持される。以上の打撃動作に連動する供給制御部材１１９の揺動動作により、遊技球は１つずつ発射位置へ供給される。
【０００８】
【特許文献１】実公平４−３８８５９号公報
【発明の開示】
【発明が解決しようとする課題】
【０００９】
しかしながら、前記従来の球供給装置では、打球槌９６の発射動作に連動する係合部１２５の上下動による供給制御部材１１９の揺動により、発射位置に球を供給するタイミングが決まるが、そのタイミングを調節することができないという問題があった。
【００１０】
そのため、球供給動作が速すぎた場合は、前の遊技球と接触するトラブルが発生し、逆に遅すぎた場合は、球が静止し安定する前に発射動作に入ることになるため、打球槌が遊技球を正しい位置で打撃できないことが起こり、飛球がばらつくというトラブルが発生していた。
【００１１】
又、上記トラブルを回避するためには、部品の精度が求められることになり、それが製造コストに反映されることになるため、部品コスト高の原因にもなっていた。
【００１２】
又、市場で稼働している遊技機に、球送りタイミングが不適切であることが原因でトラブルが発生した場合には、迅速にその修正をすることが期待できないため、ユニット毎交換する必要があり不経済であった。
【００１３】
本発明は、前記従来の問題点を解決するべくなされたもので、部品やユニットを交換することなく、その場で迅速に遊技球を発射位置に供給するタイミングを適切に修正することができる、遊技機の球供給装置を提供することを課題とする。
【課題を解決するための手段】
【００１４】
本発明は、球受け皿に形成された遊技球の流出口と、遊技球を打球槌で打撃して発射させる発射レール上の発射位置との間に配設され、該発射位置に面した遊技球の供給口を有する樋部と、該樋部内において、回動軸に軸支されている供給制御部材と、該供給制御部材に前記回動軸と平行に突出した状態に取付けられている従動部材と、遊技球の発射動作に同期して上下動する先端部を有し、該従動部材と当接して前記供給制御部材を前記回動軸を中心に揺動させ、樋部に導入された遊技球を１個ずつ前記供給口から発射位置に供給する連動部材とを備えている遊技機の球供給装置であって、連動部材の先端部が当接する従動部材の当接面は、先端方向に向って径が小さくなる円錐形状に形成され、且つ、該従動部材は、前記回動軸に沿って移動調節可能に取付けられているようにしたことにより、前記課題を解決したものである。
【発明の効果】
【００１５】
本発明によれば、回動軸を中心とする揺動動作により遊技球を発射位置へ供給する供給制御部材において、発射動作に連動して上下動する連動部材の先端部に当接し、該供給制御部材を前記回動軸を中心に揺動させる従動部材を、前記回動軸に平行に進退動可能に配設すると共に、前記先端部に当接する当接面を、先端方向に向かって径が小さくなる円錐形状にしたので、該従動部材の突出程度を加減するだけで、遊技球の供給タイミングを容易に微調整することができる。
【発明を実施するための最良の形態】
【００１６】
以下、図面を参照して、本発明の実施の形態について詳細に説明する。
【００１７】
図１は、本発明に係る一実施形態の遊技機の球供給装置の正面図、図２は該球供給装置の取付位置の裏側を示す背面図である。
【００１８】
本実施形態の球供給装置は、ベースプレート１０の前側（遊技者側）に回転自在に軸支された回転軸１２の一端に固定され、発射レール１４（前記図１０に示した発射レール９２）に形成されている発射位置に供給される遊技球Ｂを打撃する打球槌１６に近接配置され、該打球槌１６の打撃（揺動）動作に連動して動作する。なお、打球槌１６の打撃動作については後述する。
【００１９】
この球供給装置は、遊技機の前板に取付けると、球受け皿９１の球の流出口１１１に臨むベースプレート１０の位置に設けられた導出口（図示せず）から、発射レール１４の発射位置の直前まで遊技球を流下させる、ベースプレート１０にねじ止めされた透明プラスチックからなる筒状の樋部１８を有している。
【００２０】
この樋部１８の下端の発射レールに面する位置には、従来と同様に遊技球の供給口（後述する図９参照）が設けられていると共に、その内側の近接位置には図３、図４に拡大して示す供給制御部材２０が配設されている。
【００２１】
この供給制御部材２０は、前記図１１の場合と同様に、発射レール１４に平行な回動軸（横軸）２２で樋部１８に回動自在に軸支されていると共に、その上端には球止め部２４が、発射レール１４側には遊技球を一時的に保持し、供給口へ案内する凹状の円弧面からなる球受け部２６が形成されている。
【００２２】
又、この供給制御部材２０には、前記回動軸２２より発射レール側で、且つ該軸２２に平行に従動子２８が螺入され、図４に示す後端部を−ドライバで回転させることにより、図示しないねじ構造により該軸２２に平行な方向に進退動可能になっている。従って、図３（Ａ）の状態から同図（Ｂ）の先端部が突出した状態等に容易に調整できるようになっている。
【００２３】
この従動子２８には、その先端側に、先端方向に向かって径が漸減する円錐形状の当接面３０が形成されている。この当接面３０には、前記打球槌１６が、図５に示す打撃時の状態から、図６に示す準備位置へ後退する際、該打球槌１６の中間位置に付設されている係合ピン１６Ａに押される係合アーム（連動部材）３２が、軸３４を支点に揺動することにより上昇する先端部３２Ａが当接する。
【００２４】
図７と図８には、それぞれ打撃時と後退時における係合アーム３２の先端部３２Ａと供給制御部材２０及び遊技球Ｂとの関係を抽出して示す。
【００２５】
このように、打球槌１６が後退すると、この揺動に連動して係合アーム３２の先端部３２Ａが上昇することにより、図８に示されるように、供給制御部材２０は、球止め部２４が樋部１８内で供給口方向から後退し、球受け部２６が上昇する方向に揺動することにより、打撃時に球止め部２４上に保持されていた遊技球Ｂは、球受け部２６上に落下し、保持される。
【００２６】
この供給制御部材２０の揺動状態と遊技球Ｂ及び供給口との関係を図９に示す。図中、符号１８Ａは、樋部１８の下端部に形成されている供給口である。
【００２７】
図９（Ａ）、（Ｂ）及び（Ｃ）は、それぞれ打球槌１６の打撃時、後退時及び次の打撃直後に対応する。同図（Ａ）の打撃時に球止め部２４で止められていた遊技球Ｂは、後退時に供給制御部材２０が供給口１８Ａと反対方向に揺動され、球受け部２６上に落下し、同図（Ｂ）のように保持される。このとき、球受け部２６と供給口１８Ａの間隔が狭くなっているため、発射レール１４側に落下することはない。同図（Ｃ）のように、次の打撃時になると、再び球受け部２６と供給口１８Ａの間隔が広くなり、しかも、球受け部２６上の遊技球Ｂは落下する状態になるため、供給口１８Ａから供給されると同時に、次に遊技球Ｂが球止め部２４上に停止される。
【００２８】
便宜上、ここで本実施形態における遊技球の発射動作について説明する。
【００２９】
遊技者が操作ハンドル９５に接触することにより発生する発射信号を受けて、打球槌駆動モータ４０が回転すると、カム４２が前記図２の矢印方向に回転を繰返す。
【００３０】
このカム４２の回転は、カムころ４４が固定されている槌側カップ４６を矢印方向に回動させることにより、回転軸１２の他端に固定されている前記打球槌１６を、槌側カップ４６に収容されている捻りコイルばね（明示せず）の付勢力に効しつつ、該打球槌１６を後退させる。このように打球槌１６が所定の準備位置まで後退すると、カムころ４４がカム４２の最大径部から外れて解放された状態になる。
【００３１】
その結果、捻りコイルばねの付勢力により、打球槌１６が最大後退位置から勢い良く回動し、発射レール１４上の発射位置にある遊技球Ｂを槌先部で打撃することにより、該遊技球Ｂを飛び出させると共に、該打球槌１６は打球槌ストッパ４７に当たって止まる。
【００３２】
又、その際、操作ハンドル９５を所望の角度だけ回動させることにより、その回動量を、該ハンドル９５の操作軸４８に固定された操作ギヤ４８Ａ、中間ギヤ５０、前記ハンドル側カップ５２の外周に形成された回動ギヤ５２Ａを介して伝達し、該ハンドル側カップ５２を前記捻りコイルばねの付勢力が強まる方向に回動させることにより、発射力の調整が行なわれる。
【００３３】
以上のように打球槌１６による打撃動作は繰り返し行なわれるが、これに連動して、供給口１８Ａから遊技球が１個ずつ発射レール１４上の発射位置に供給することができる。この場合、打撃動作に対する遊技球の供給タイミングは、係合アーム３２の先端部３２Ａが従動子２８を上昇させるタイミングにより変化することになる。
【００３４】
本実施形態においては、前述した如く、上記先端部３２Ａが当接する従動子２８の当接面３０を先細りの円錐形状にすると共に、供給制御部材２０に対してねじ構造により進退動可能にしてあるので、係合アーム３２の先端部３２Ａの当接タイミング、即ち遊技機の球供給装置の供給タイミングを微調整することができ、しかも部品交換することもなくドライバだけで簡単に調整することができる。
【００３５】
なお、遊技機の球供給装置の具体的な構成や打球槌を揺動させる駆動機構、発射力を調整する調整機等の具体的な構成は、前記実施形態に示したものに限定されない。
【図面の簡単な説明】
【００３６】
【図１】本発明に係る一実施形態の球供給装置の外観を示す斜視図
【図２】上記球供給装置の取付位置の裏側を示す背面図
【図３】本実施形態の球供給装置に適用される供給制御部材を拡大して示す斜視図
【図４】上記供給制御部材の後側を示す斜視図
【図５】打撃時の球供給装置の特徴を示す斜視図
【図６】後退時の球供給装置の特徴を示す斜視図
【図７】打撃時の供給制御部材と係合アームの先端部の関係を拡大して示す斜視図
【図８】後退時の供給制御部材と係合アームの先端部の関係を拡大して示す斜視図
【図９】供給制御部材と遊技球の関係の経時変化を示す説明図
【図１０】遊技機器全体の外観を示す概略正面図
【図１１】従来の球供給装置の概要を示す斜視図
【符号の説明】
【００３７】
１０…ベースプレート
１２…回転軸
１４…発射レール
１６…打球槌
１８…樋部
２０…供給制御部材
２２…回動軸
２４…球止め部
２６…球受け部
２８…従動子（従動部材）
３０…当接面
３２…係合アーム（連動部材）
３２Ａ…先端部
３４…軸
【図１】
2006198183.tif 000003
【図２】
2006198183.tif 000004
【図３】
2006198183.tif 000005
【図４】
2006198183.tif 000006
【図５】
2006198183.tif 000007
【図６】
2006198183.tif 000008
【図７】
2006198183.tif 000009
【図８】
2006198183.tif 000010
【図９】
2006198183.tif 000011
【図１０】
2006198183.tif 000012
【図１１】
2006198183.tif 000013